(57)【要約】【課題】白色トナーを用いて同じ明度とするときの白色トナー量を減らすことができる記録媒体及びこれを形成する画像形成装置を提供する。【解決手段】白色以外の有色又は透明の記録媒体本体と、記録媒体本体上に重ね合わされた、白色トナーからなる白色トナー層及びアルミ顔料を含む銀トナーからなる銀トナー層と、を含み、白色トナー層及び銀トナー層に重ね合わされた、白色及び銀以外の他色のトナーからなる他色画像をさらに有し、銀トナー層は、他色画像のおもて面側からみて白色トナー層の下層に形成されている。【選択図】図１１
2019040108.tif 000002
【特許請求の範囲】
【請求項１】
白色以外の有色又は透明の記録媒体本体と、
前記記録媒体本体上に重ね合わされた、白色トナーからなる白色トナー層及びアルミ顔料を含む銀トナーからなる銀トナー層と、を含む、
ことを特徴とする記録媒体。
【請求項２】
前記白色トナー層及び前記銀トナー層に重ね合わされた、白色及び銀以外の他色のトナーからなる他色画像をさらに有し、
前記銀トナー層は、前記他色画像のおもて面側からみて前記白色トナー層の下層に形成されている、
ことを特徴とする請求項１に記載の記録媒体。
【請求項３】
前記銀トナー層が前記白色トナー層を覆う領域は、前記白色トナー層のトナー付着量が他の画像領域に比べて少ない、
ことを特徴とする請求項１又は２に記載の記録媒体。
【請求項４】
前記銀トナー層は、白色及び銀以外の複数色のトナーを重ね合わせた重ねトナー画像が形成された領域において、前記白色トナー層のトナー付着量を減らして形成されている、
ことを特徴とする請求項３に記載の記録媒体。
【請求項５】
前記白色トナー層は、前記銀トナー層よりも広く形成されている、
ことを特徴とする請求項１ないし４のいずれか１項に記載の記録媒体。
【請求項６】
前記銀トナー層は、白色トナー層の全域に形成されている、
ことを特徴とする請求項１ないし５のいずれか１項に記載の記録媒体。
【請求項７】
前記銀トナー層は、前記重ねトナー画像が形成された領域が文字画像及び写真画像を含む場合、写真画像領域にのみ形成される、
ことを特徴とする請求項１ないし６のいずれか１項に記載の記録媒体。
【請求項８】
前記銀トナー層は、画像形成面の最上層が白色でない領域には形成されない、  
ことを特徴とする請求項１ないし７のいずれか１項に記載の記録媒体。
【請求項９】
前記銀トナー層は、画像形成面の最上層が白色でない領域では他の画像領域に比べてトナー付着量を減少させる、
ことを特徴とする請求項１ないし７のいずれか１項に記載の記録媒体。
【請求項１０】
前記銀トナー層は、前記重ねトナー画像が形成された領域の面積階調率に応じて、トナー付着量を変化させる、
ことを特徴とする請求項１ないし９のいずれか１項に記載の記録媒体。
【請求項１１】
前記銀トナー層は、前記重ねトナー画像が形成された領域の面積階調率が低い領域ほど、トナー付着量を減少させる、
ことを特徴とする請求項１０に記載の記録媒体。
【請求項１２】
前記白色トナー層及び前記銀トナー層は、前記重ねトナー画像が形成された領域と他の画像が形成された領域のトナー層厚さが一定になるように、白色トナー及び銀トナーのトナー付着量を変更する、
ことを特徴とする請求項１ないし１１のいずれか１項に記載の記録媒体。
【請求項１３】
前記白色トナー層は、画像面積率１００％のとき、前記有色又は透明の記録媒体本体上で、明度Ｌ＊が７２以上である、
ことを特徴とする請求項１ないし１２のいずれか１項に記載の記録媒体。
【請求項１４】
回転移動する像保持体と、
白色トナーを用いて白色トナー画像を形成する第１画像形成手段と、銀トナーを用いて銀トナー画像を形成する第２画像形成手段と、白色及び銀以外の複数色のトナーを用いて各色の重ねトナー画像を形成する第３画像形成手段と、白色以外の有色の記録媒体本体上に形成された白色トナー画像、銀トナー画像及び各色の重ねトナー画像を、前記白色以外の有色の記録媒体本体に少なくとも熱によって定着させる定着手段と、を備え、
前記第１画像形成手段と前記第２画像形成手段とが前記第３画像形成手段よりも前記像保持体の回転移動方向下流側に配置され、前記第２画像形成手段が前記第１画像形成手段よりも前記像保持体の回転移動方向下流側に配置されている、
ことを特徴とする画像形成装置。
【請求項１５】
回転移動する像保持体と、
白色トナーを用いて白色トナー画像を形成する第１画像形成手段と、銀トナーを用いて銀トナー画像を形成する第２画像形成手段と、白色及び銀以外の複数色のトナーを用いて各色の重ねトナー画像を形成する第３画像形成手段と、透明の記録媒体本体上に形成された白色トナー画像、銀トナー画像及び各色の重ねトナー画像を、前記透明の記録媒体本体に少なくとも熱によって定着させる定着手段と、を備え、
前記第１画像形成手段と前記第２画像形成手段とが前記第３画像形成手段よりも前記像保持体の回転移動方向上流側に配置され、前記第２画像形成手段が前記第１画像形成手段よりも前記像保持体の回転移動方向上流側に配置されている、
ことを特徴とする画像形成装置。
【請求項１６】
前記白色トナー画像及び前記銀トナー画像は、いずれかが先に定着される、
ことを特徴とする請求項１４又は１５に記載の画像形成装置。
【請求項１７】
前記銀トナー画像を前記白色以外の有色の記録媒体本体に定着した後に、前記重ねトナー画像及び前記白色トナー画像を前記白色以外の有色の記録媒体本体上に一括転写する、
ことを特徴とする請求項１６に記載の画像形成装置。
【請求項１８】
前記白色トナー画像及び前記重ねトナー画像を前記透明の記録媒体本体に定着した後に、前記銀トナー画像を前記透明の記録媒体本体に追い刷りする、
ことを特徴とする請求項１６に記載の画像形成装置。
【発明の詳細な説明】
【技術分野】
【０００１】
本発明は、記録媒体及びこれを形成する画像形成装置に関する。
【背景技術】
【０００２】
白色トナーを用いて白色トナー画像を透明記録媒体上に形成する第一画像形成手段と、白色以外の複数色のトナーを用いて各色のトナー画像が重なり合った重ねトナー画像を透明記録媒体上に形成する第二画像形成手段と、透明記録媒体上に形成された白色トナー画像及び重ねトナー画像を該透明記録媒体に少なくとも熱によって定着させる定着手段とを備え、透明記録媒体上に形成された重ねトナー画像の上に白色トナー画像を形成する画像形成装置において、画素毎の重ねトナー画像のトナー付着量に応じて、重ねトナー画像上に形成させる白色トナー画像のトナー付着量を変更するように、第一画像形成手段を制御する制御手段を有する画像形成装置が知られている（特許文献１）。
【０００３】
遮蔽用トナー像及び非遮蔽用トナー像の少なくとも一方を形成して記録媒体に転写する像形成部と、像形成部において記録媒体に転写される遮蔽用トナー像及び非遮蔽用トナー像の少なくとも一方を当該記録媒体に定着させる定着部と、像形成部において遮蔽用トナー像を形成して白色以外の有色又は透明の記録媒体に転写する場合、定着部における定着温度、定着圧力及び定着時間の３要素で設定される定着条件のうち遮蔽用トナー像の定着条件について、非遮蔽用トナー像の定着条件における３要素の少なくとも１つの要素を減少させた条件又は少なくとも定着圧力を零にさせた条件にする制御を行う制御手段を備えている画像形成装置も知られている（特許文献２）
【先行技術文献】
【特許文献】
【０００４】
【特許文献１】特開２０１５−６４４０１号公報
【特許文献２】特開２０１５−２２０５３号公報
【発明の概要】
【発明が解決しようとする課題】
【０００５】
本発明は、白色トナーを用いて同じ明度とするときの白色トナー量を減らすことができる記録媒体及びこれを形成する画像形成装置を提供することを目的とする。
【課題を解決するための手段】
【０００６】
前記課題を解決するために、請求項１に記載の記録媒体は、
白色以外の有色又は透明の記録媒体本体と、
前記記録媒体本体上に重ね合わされた、白色トナーからなる白色トナー層及びアルミ顔料を含む銀トナーからなる銀トナー層と、を含む、
ことを特徴とする。
【０００７】
請求項２記載の発明は、請求項１に記載の記録媒体において、
前記白色トナー層及び前記銀トナー層に重ね合わされた、白色及び銀以外の他色のトナーからなる他色画像をさらに有し、
前記銀トナー層は、前記他色画像のおもて面側からみて前記白色トナー層の下層に形成されている、
ことを特徴とする。
【０００８】
請求項３記載の発明は、請求項１又は２に記載の記録媒体において、
前記銀トナー層が前記白色トナー層を覆う領域は、前記白色トナー層のトナー付着量が他の画像領域に比べて少ない、
ことを特徴とする。
【０００９】
請求項４記載の発明は、請求項３に記載の記録媒体において、
前記銀トナー層は、白色及び銀以外の複数色のトナーを重ね合わせた重ねトナー画像が形成された領域において、前記白色トナー層のトナー付着量を減らして形成されている、
ことを特徴とする。
【００１０】
請求項５記載の発明は、請求項１ないし４のいずれか１項に記載の記録媒体において、
前記白色トナー層は、前記銀トナー層よりも広く形成されている、
ことを特徴とする。
【００１１】
請求項６記載の発明は、請求項１ないし５のいずれか１項に記載の記録媒体において、
前記銀トナー層は、白色トナー層の全域に形成されている、
ことを特徴とする。
【００１２】
請求項７記載の発明は、請求項１ないし６のいずれか１項に記載の記録媒体において、
前記銀トナー層は、前記重ねトナー画像が形成された領域が文字画像及び写真画像を含む場合、写真画像領域にのみ形成される、
ことを特徴とする。
【００１３】
請求項８記載の発明は、請求項１ないし７のいずれか１項に記載の記録媒体において、
前記銀トナー層は、画像形成面の最上層が白色でない領域には形成されない、  
ことを特徴とする。
【００１４】
請求項９記載の発明は、請求項１ないし７のいずれか１項に記載の記録媒体において、
前記銀トナー層は、画像形成面の最上層が白色でない領域では他の画像領域に比べてトナー付着量を減少させる、
ことを特徴とする。
【００１５】
請求項１０記載の発明は、請求項１ないし９のいずれか１項に記載の記録媒体において、
前記銀トナー層は、前記重ねトナー画像が形成された領域の面積階調率に応じて、トナー付着量を変化させる、
ことを特徴とする。
【００１６】
請求項１１記載の発明は、請求項１０に記載の記録媒体において、
前記銀トナー層は、前記重ねトナー画像が形成された領域の面積階調率が低い領域ほど、トナー付着量を減少させる、
ことを特徴とする。
【００１７】
請求項１２記載の発明は、請求項１ないし１１のいずれか１項に記載の記録媒体において、
前記白色トナー層及び前記銀トナー層は、前記重ねトナー画像が形成された領域と他の画像が形成された領域のトナー層厚さが一定になるように、白色トナー及び銀トナーのトナー付着量を変更する、
ことを特徴とする。
【００１８】
請求項１３記載の発明は、請求項１ないし１２のいずれか１項に記載の記録媒体において、
前記白色トナー層は、画像面積率１００％のとき、前記有色又は透明の記録媒体本体上で、明度Ｌ＊が７２以上である、
ことを特徴とする。
【００１９】
前記課題を解決するために、請求項１４に記載の画像形成装置は、
回転移動する像保持体と、
白色トナーを用いて白色トナー画像を形成する第１画像形成手段と、銀トナーを用いて銀トナー画像を形成する第２画像形成手段と、白色及び銀以外の複数色のトナーを用いて各色の重ねトナー画像を形成する第３画像形成手段と、白色以外の有色の記録媒体本体上に形成された白色トナー画像、銀トナー画像及び各色の重ねトナー画像を、前記白色以外の有色の記録媒体本体に少なくとも熱によって定着させる定着手段と、を備え、
前記第１画像形成手段と前記第２画像形成手段とが前記第３画像形成手段よりも前記像保持体の回転移動方向下流側に配置され、前記第２画像形成手段が前記第１画像形成手段よりも前記像保持体の回転移動方向下流側に配置されている、
ことを特徴とする。
【００２０】
前記課題を解決するために、請求項１５に記載の画像形成装置は、
回転移動する像保持体と、
白色トナーを用いて白色トナー画像を形成する第１画像形成手段と、銀トナーを用いて銀トナー画像を形成する第２画像形成手段と、白色及び銀以外の複数色のトナーを用いて各色の重ねトナー画像を形成する第３画像形成手段と、透明の記録媒体本体上に形成された白色トナー画像、銀トナー画像及び各色の重ねトナー画像を、前記透明の記録媒体本体に少なくとも熱によって定着させる定着手段と、を備え、
前記第１画像形成手段と前記第２画像形成手段とが前記第３画像形成手段よりも前記像保持体の回転移動方向上流側に配置され、前記第２画像形成手段が前記第１画像形成手段よりも前記像保持体の回転移動方向上流側に配置されている、
ことを特徴とする。
【００２１】
請求項１６記載の発明は、請求項１４又は１５に記載の画像形成装置において、
前記白色トナー画像及び前記銀トナー画像は、いずれかが先に定着される、
ことを特徴とする。
【００２２】
請求項１７記載の発明は、請求項１６に記載の画像形成装置において、
前記銀トナー画像を前記白色以外の有色の記録媒体本体に定着した後に、前記重ねトナー画像及び前記白色トナー画像を前記白色以外の有色の記録媒体本体上に一括転写する、
ことを特徴とする。
【００２３】
請求項１８記載の発明は、請求項１６に記載の画像形成装置において、
前記白色トナー画像及び前記重ねトナー画像を前記透明の記録媒体本体に定着した後に、前記銀トナー画像を前記透明の記録媒体本体に追い刷りする、
ことを特徴とする。
【発明の効果】
【００２４】
請求項１に記載の発明によれば、アルミ顔料を含む銀トナー層が重ねあわされていない場合に比べて、白色トナーを用いて同じ明度とするときの白色トナー量を減らすことができる。
【００２５】
請求項２に記載の発明によれば、白色トナー層を透過する光を反射させることができる。
【００２６】
請求項３、４に記載の発明によれば、白色トナーのトナー付着量を少なくすることができる。
【００２７】
請求項５に記載の発明によれば、銀トナー層の白色トナー層からのはみ出しを防止することができる。
【００２８】
請求項６、７、８、９、１０、１１、１２に記載の発明によれば、白色トナー層のくすみを抑制することができる。
【００２９】
請求項１３に記載の発明によれば、有色の記録媒体本体の遮蔽率を白色の記録媒体本体と同等にすることができる。
【００３０】
請求項１４、１５に記載の発明によれば、遮蔽用トナー像を含む仕上がり画像を下地となる記録媒体の影響を受けずに遮蔽性が確保された記録媒体を得ることができる。
【００３１】
請求項１６、１７、１８に記載の発明によれば、白色トナー層のくすみが抑制された記録媒体を得ることができる。
【図面の簡単な説明】
【００３２】
【図１】画像形成装置の概略構成の一例を示す断面模式図である。
【図２】転写装置の構成を示す断面模式図である。
【図３】転写装置における各色の感光体ユニット及び現像装置の配置を示す断面模式図である。
【図４】有色紙又は透明ラベルに画像形成された記録媒体の画像構造の一例を示す説明図である。
【図５】転写装置における各色の感光体ユニット及び現像装置の他の配置を示す断面模式図である。である。
【図６】透明ラベルに画像形成された記録媒体の画像構造の一例を示す説明図である。である。
【図７】白色トナー画像及び銀トナー画像を含んで透明ラベルに画像形成された記録媒体の画像構造の一例を示す説明図である。
【図８】白色トナー画像に対する銀トナー画像の形成態様の例を示す説明図である。
【図９】重ね画像に対する銀トナー画像の形成態様の例を示す説明図である。
【図１０】重ね画像、白色トナー画像及び銀トナー画像の形成態様を示す説明図である。
【図１１】（ａ）は白色トナー画像による記録媒体本体の隠蔽を説明する図、（ｂ）は白色トナー画像及び銀トナー画像による記録媒体本体の隠蔽を説明する図である。
【発明を実施するための形態】
【００３３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００３４】
「第１実施形態」
（１）画像形成装置の全体構成及び動作
（１．１）画像形成装置の全体構成
図１は本実施形態に係る画像形成装置１の概略構成の一例を示す断面模式図、図２は画像形成装置１の転写装置１５の構成を示す断面模式図である。
画像形成装置１は、画像形成部１０と、画像形成部１０の一端に装着された用紙送り装置２０と、画像形成部１０の他の一端に設けられ、印刷された用紙が排紙される排紙部３０と、操作表示部４０と、上位機器から送信された印刷情報から画像情報を生成する画像処理部５０と、を備えて構成されている。
【００３５】
画像形成部１０は、システム制御装置１１（不図示）、露光装置１２、感光体ユニット１３、現像装置１４、転写装置１５、用紙搬送装置１６ａ、１６ｂ、１６ｃ、定着装置１７、駆動装置１８（不図示）、を備えて構成され、画像処理部５０から受け取った画像情報を用紙送り装置２０から送り込まれた記録媒体本体Ｐ上にトナー画像として形成する。
【００３６】
用紙送り装置２０は、画像形成部１０に対する記録媒体本体Ｐの供給を行う。すなわち、種類（例えば、材質や厚さ、用紙サイズ、紙目）の異なる記録媒体本体Ｐを収容する複数の用紙積載部を備えており、これら複数の用紙積載部のいずれか一つから繰り出した記録媒体本体Ｐを画像形成部１０に対して供給するように構成されている。
【００３７】
排紙部３０は、画像形成部１０にて画像出力が行われた記録媒体の排出を行う。そのために、排紙部３０は、画像出力後の記録媒体が排出される排紙収容部を備えている。なお、排紙部３０は、画像形成部１０から出力される用紙束に対して、裁断やステープル（針綴じ）等の後処理を行う機能を有したものであってもよい。
【００３８】
操作表示部４０は、各種の設定や指示の入力及び情報表示に用いられるものである。すなわち、いわゆるユーザインタフェースに相当するもので、具体的には液晶表示パネル、各種操作ボタン、タッチパネル等を組み合わせて構成されている。
【００３９】
（１．２）画像形成部の構成及び動作
このような構成の画像形成装置１では、画像形成のタイミングに合わせて用紙送り装置２０のうち、印刷ジョブで印刷の１枚毎に指定された用紙積載部から繰り出された記録媒体本体Ｐが画像形成部１０へ送り込まれる。
【００４０】
感光体ユニット１３は、露光装置１２の下方に、それぞれが並列して設けられ、回転駆動する像保持体としての感光体ドラム３１を備えている。感光体ドラム３１の回転方向にそって、帯電器３２、露光装置１２、現像装置１４、一次転写ローラ５２、クリーニングブレード３３が配置されている。
【００４１】
現像装置１４は、内部に現像剤が収容される現像ハウジング４１を有する。現像ハウジング４１内には、感光体ドラム３１に対向して配置された現像ローラ４２が配設されている。現像ローラ４２には、層厚を規制された現像剤が供給されて感光体ドラム３１上にトナー像が形成される。
それぞれの現像装置１４は、現像ハウジング４１に収容される現像剤を除いて略同様に構成され、それぞれがイエロー（Ｙ）、マゼンタ（Ｍ）、シアン（Ｃ）、黒（Ｋ）、白色（Ｗ）、特別色としての銀（Ｓ）のトナー像を形成する。
【００４２】
現像装置１４の上方には、現像剤（キャリアを含むトナー）を収容する交換可能なトナーカートリッジＴが装着されている。それぞれのトナーカートリッジＴから現像装置１４に現像剤を供給するトナーカートリッジガイドＴＧが配置されている。
【００４３】
回転する感光体ドラム３１の表面は、帯電器３２により帯電され、露光装置１２から出射する潜像形成光により静電潜像が形成される。感光体ドラム３１上に形成された静電潜像は現像ローラ４２によりトナー像として現像される。
【００４４】
転写装置１５は、各感光体ユニット１３の感光体ドラム３１にて形成された各色トナー像が多重転写される像保持体としての中間転写ベルト５１、各感光体ユニット１３にて形成された各色トナー像を中間転写ベルト５１に順次転写（一次転写）する一次転写ローラ５２、中間転写ベルト５１上に重畳して転写された各色トナー像を記録媒体本体である用紙Ｐに一括転写（二次転写）する二次転写ベルト５３とから構成されている。
【００４５】
中間転写ベルト５１は、中間転写ベルト５１を循環駆動させる駆動ローラ６１、各感光体ドラム３１の配列方向に沿って略直線状に伸びる中間転写ベルト５１を支持する従動ローラ６２、中間転写ベルト５１に対して一定の張力を与えると共に中間転写ベルト５１の蛇行を防止するテンションローラ６３、二次転写部ＴＲの上流側で中間転写ベルト５１を支持する支持ローラ６４、二次転写部ＴＲに設けられるバックアップローラ６５で回転移動可能に張架されている。
【００４６】
二次転写ベルト５３は、二次転写ローラ５４と剥離ローラ５５とによって張架され、中間転写ベルト５１の背面側に配置されたバックアップローラ６５と二次転写ローラ５４とに挟持されて二次転写部（ＴＲ）を形成する。
【００４７】
各感光体ユニット１３の感光体ドラム３１に形成された各色トナー像は、システム制御装置１１により制御される電源装置等（不図示）から所定の転写電圧が印加された一次転写ローラ５２により中間転写ベルト５１上に順次静電転写（一次転写）され、各色トナーが重畳された重畳トナー像が形成される。
【００４８】
中間転写ベルト５１上の重畳トナー像は、中間転写ベルト５１の移動に伴って二次転写ベルト５３が配置された二次転写部ＴＲに搬送される。重畳トナー像が二次転写部ＴＲに搬送されると、そのタイミングに合わせて用紙送り装置２０から記録媒体本体Ｐが二次転写部ＴＲに供給される。そして、二次転写ベルト５３を介して二次転写ローラ５４と対向するバックアップローラ６５には、システム制御装置１１により制御される電源装置等から給電ローラ６５Ａを介して所定の転写電圧が印加され、用紙Ｐに中間転写ベルト５１上の多重トナー像が一括転写される。
【００４９】
感光体ドラム３１表面の残留トナーは、クリーニングブレード３４により除去され、廃トナー収容部（不図示）に回収される。感光体ドラム３１の表面は、帯電器３２により再帯電される。
【００５０】
定着装置１７は一方向へ回転する無端状の定着ベルト１７ａと、定着ベルト１７ａの周面に接し、一方向へ回転する加圧ローラ１７ｂとを有し、定着ベルト１７ａと加圧ローラ１７ｂの圧接領域によってニップ部（定着領域）が形成される。
転写装置１５においてトナー像が転写された記録媒体本体Ｐは、トナー像が未定着の状態で用紙搬送装置１６ａを経由して定着装置１７に搬送される。定着装置１７に搬送された記録媒体は、一対の定着ベルト１７ａと加圧ローラ１７ｂにより、圧着と加熱の作用でトナー像が定着される。
【００５１】
定着の終了した用紙は、用紙搬送装置１６ｂを経由して排紙部３０に送り込まれる。
尚、用紙の両面に画像出力を行う場合には、用紙搬送装置１６ｃにより当該用紙の表裏が反転され、再び画像形成部１０における二次転写部ＴＲへ送り込まれる。そして、トナー像の転写および転写像の定着が行われた後に、排紙部３０に送り込まれることになる。排紙部３０へ送り込まれた用紙Ｐは、必要に応じて裁断やステープル（針綴じ）等の後処理を経た後に、排紙収容部へ排出される。
【００５２】
（２）記録媒体の形成
図３は転写装置１５における各色の感光体ユニット１３及び現像装置１４の配置を示す断面模式図、図４は有色紙ＣＰ又は透明ラベルＣＳに画像形成された記録媒体の画像構造の一例を示す説明図、図５は転写装置１５における各色の感光体ユニット１３及び現像装置１４の他の配置を示す断面模式図、図６は透明ラベルＣＳに画像形成された記録媒体の画像構造の一例を示す説明図である。
以下、図面を参照しながら転写装置１５の構成と記録媒体本体Ｐへのトナー像形成について説明する。
【００５３】
（２．１）白色以外の有色又は透明の記録媒体本体への画像形成
本実施形態の画像形成装置１では、黒、青、赤等その他の白以外の色の付された記録媒体本体である有色紙ＣＰや透明ラベルＣＳ上に、イエロートナー（Ｙ）、マゼンタトナー（Ｍ）、シアントナー（Ｃ）、及び、黒トナー（Ｋ）を含むカラー画像を形成する。
そして、有色紙ＣＰや透明ラベルＣＳ上のカラー画像が形成された画像形成面の最下層となるように白色トナー（Ｗ）及びアルミ顔料を含む銀トナー（Ｓ）を用いて白色トナー画像ＴＷ及び銀トナー画像ＳＴを形成する画像形成動作が実行可能となっている。
また、透明ラベルＣＳ上のカラー画像が形成された画像形成面の最上層となるように白色トナー（Ｗ）及びアルミ顔料を含む銀トナー（Ｓ）を用いて白色トナー画像ＴＷ及び銀トナー画像ＴＳを形成する画像形成動作が実行可能となっている。
【００５４】
図３に示すように、画像形成装置１は、白色トナーを用いて白色トナー画像を形成する第１画像形成手段としての感光体ユニット１３と現像装置１４と、銀トナーを用いて銀トナー画像を形成する第２画像形成手段としての感光体ユニット１３と現像装置１４とが、イエロー（Ｙ）、マゼンタ（Ｍ）、シアン（Ｃ）、黒（Ｋ）のトナーを用いて各色の重ねトナー画像（ＹＭＣＫ）を形成する第３画像形成手段としての感光体ユニット１３及び現像装置１４よりも中間転写ベルト５１の回転移動方向下流側に配置され、銀トナーを用いて銀トナー画像を形成する感光体ユニット１３と現像装置１４が白色トナーを用いて白色トナー画像を形成する第１画像形成手段としての感光体ユニット１３と現像装置１４よりも中間転写ベルト５１の回転移動方向下流側に配置されている。
【００５５】
このように構成される画像形成装置１では、中間転写ベルト５１上の画像を有色紙ＣＰ又は透明ラベルＣＳ上に転写する場合、まず中間転写ベルト５１上に順次、イエロー（Ｙ）、マゼンタ（Ｍ）、シアン（Ｃ）、黒（Ｋ）の各色のカラー画像を重ね合わせた重ねトナー画像を形成した後、白色トナー画像ＷＴを重ねトナー画像（ＹＭＣＫ）に重なるように一次転写する。そして、有色紙ＣＰ又は透明ラベルＣＳが用紙送り装置２０から二次転写部（ＴＲ）に送り出され、中間転写ベルト５１の外周面に１次転写された白色トナー画像ＷＴ付きカラー画像が有色紙ＣＰ又は透明ラベルＣＳ上に二次転写される。
【００５６】
これにより、図４に示すように、有色紙ＣＰの地色が白色トナー画像ＷＴで隠蔽されて、各色のカラー画像を重ね合わせた重ねトナー画像（ＹＭＣＫ）が形成された記録媒体を作成することができる。また、透明ラベルＣＳが白色トナー画像ＷＴで隠蔽されて透過することなく、各色のカラー画像を重ね合わせた重ねトナー画像が形成された記録媒体を作成することができる。
【００５７】
白色トナー画像ＷＴの隠蔽性は、有色紙ＣＰに対しては、有色紙ＣＰ上に面積階調率１００％で形成された白色トナー画像ＷＴのＩＳＯ白色度（ＩＳＯ  ２４７０）によって評価され、明度Ｌ＊が７２以上であるように形成される。
また、透明ラベルＣＳに対しては、透明ラベルＣＳ上に面積階調率１００％で形成された白色トナー画像ＷのＪＩＳ  Ｋ５６００に準拠した白色度によって評価され、明度Ｌ＊が７２以上であるように形成される。
これにより、有色紙ＣＰ及び透明ラベルＣＳを白色トナー（Ｗ）で隠蔽することができる。
【００５８】
また、図５に示すように、画像形成装置１Ａは、白色トナーを用いて白色トナー画像を形成する第１画像形成手段としての感光体ユニット１３と現像装置１４と、銀トナーを用いて銀トナー画像を形成する第２画像形成手段としての感光体ユニット１３と現像装置１４とが、イエロー（Ｙ）、マゼンタ（Ｍ）、シアン（Ｃ）、黒（Ｋ）のトナーを用いて各色の重ねトナー画像（ＹＭＣＫ）を形成する第３画像形成手段としての感光体ユニット１３及び現像装置１４よりも中間転写ベルト５１の回転移動方向上流側に配置され、銀トナーを用いて銀トナー画像を形成する感光体ユニット１３と現像装置１４が白色トナーを用いて白色トナー画像を形成する第１画像形成手段としての感光体ユニット１３と現像装置１４よりも中間転写ベルト５１の回転移動方向上流側に配置されている。
【００５９】
このように構成される画像形成装置１Ａでは、図６（ａ）に示すように、中間転写ベルト５１上の画像を透明ラベルＣＳの裏面上に転写する場合、まず白色トナー画像ＷＴを中間転写ベルト５１上に形成する。そして、白色トナー画像ＷＴの上に順次、黒（Ｋ）、シアン（Ｃ）、マゼンタ（Ｍ）、イエロー（Ｙ）の各色のカラー画像を重ね合わせた重ねトナー画像（ＹＭＣＫ）を形成した後、中間転写ベルト５１上から透明ラベルＣＳ上に重ねトナー画像のほうから転写する。
【００６０】
これにより、図６（ｂ）に示すように、透明ラベルＣＳの重ねトナー画像が形成された面とは逆の面側（透明ラベルＣＳ側）から重ねトナー画像（ＹＭＣＫ）を見ることで、透明ラベルＣＳの光沢感により、均一光沢のある記録媒体を作成することができる。
【００６１】
ここで、図１１（ａ）に示すように、白色トナー（Ｗ）を用いて下地を形成した記録媒体においては、白色トナー（Ｗ）による隠蔽性が低い場合には、光の一部が白色トナー画像ＷＴを透過して記録媒体が透けたり、記録媒体の見栄えが悪くなる虞があった。そのために、白色トナー画像ＷＴの白色トナー量を増加させて光の透過を抑制するには、相当量の白色トナー量が必要になり、白色トナー画像ＷＴの転写性が悪化するという問題があった。
【００６２】
本実施形態に係る記録媒体は、有色紙ＣＰ又は透明ラベルＣＳの記録媒体本体Ｐと、記録媒体本体Ｐ上に重ね合わされた、白色トナー（Ｗ）からなる白色トナー画像ＷＴ及びアルミ顔料を含む銀トナー（Ｓ）からなる銀トナー画像ＳＴと、を含んで構成されている。
すなわち、図１１（ｂ）に示すように、白色トナー画像ＷＴ及び銀トナー画像ＳＴに各色のカラー画像を重ね合わせた重ねトナー画像が重ね合わされ、銀トナー画像ＳＴは、重ねトナー画像のおもて面側（重ねトナー画像が表す情報が記録媒体の観察者にとって正しく見える方向）からみて白色トナー画像ＷＴの下層に形成されている。
【００６３】
このように構成される記録媒体においては、記録媒体本体Ｐとしての透明ラベルＣＳと白色トナー画像ＷＴとの間に銀トナー画像ＳＴが反射層として介在することで、白色トナー画像ＷＴを透過する光を反射させることで記録媒体の透けや、見栄えの悪化を抑制している。
【００６４】
（２．２）白トナー画像及び銀トナー画像の態様Ａ
本実施形態に係る記録媒体は、図７に示すように、白色トナー画像ＷＴが形成されている全域に銀トナー画像ＳＴが形成されている。
また、銀トナー画像ＳＴが白色トナー画像ＷＴを覆う領域において、銀トナー画像ＳＴは、重ねトナー画像が形成された領域は白色トナー画像ＷＴのトナー付着量を減らすように形成される。
これにより、記録媒体の透けや、見栄えの悪化を抑制しながら白色トナー（Ｗ）のトナー付着量を少なくすることができる。
【００６５】
また、図７に示すように、白色トナー画像ＷＴは、銀トナー画像ＳＴよりも広く形成されている（図７中  Ｗ１＞Ｗ２）。これにより、銀トナー画像ＳＴの白色トナー画像ＷＴからのはみ出しを防止することができる。
【００６６】
（２．３）白トナー画像及び銀トナー画像の態様Ｂ
銀トナー画像ＳＴが、重ねトナー画像（ＹＭＣＫ）のおもて面側からみて白色トナー画像ＷＴの下層に形成された場合、白色トナー画像ＷＴを透過する光を反射させることができるが、白色トナー画像ＷＴにくすみが発生する虞があった。くすみとは、記録媒体本体に銀トナー画像ＳＴと白色トナー画像ＷＴを形成して定着した場合に、定着温度が高いと、銀トナー（Ｓ）と白色トナー（Ｗ）が混じり合って、白色トナー画像ＷＴの光輝性が低下することをいう。
【００６７】
本実施形態に係る記録媒体においては、銀トナー画像ＳＴは、重ね画像領域が文字画像及び写真画像を含む場合には写真画像領域にのみ形成される。これにより、銀トナー画像ＳＴが形成される領域を制限して白色トナー画像ＷＴのくすみを抑制することができる。
【００６８】
図８（ａ）に示すように、銀トナー画像ＳＴは、画像形成面の最上層が白色トナー画像ＷＴでない領域には形成されない。これにより、銀トナー画像ＳＴが形成される領域を制限して白色トナー画像ＷＴのくすみを抑制することができる。また、図８（ｂ）に示すように、画像形成面の最上層が白色トナー画像ＷＴでない領域では他の画像領域に比べて、銀トナー画像ＳＴは、トナー付着量を減少させて形成してもよい。  
これにより、記録媒体の透けを抑制しながら銀トナー画像ＳＴのトナー付着量を減少させて白色トナー画像ＷＴのくすみを抑制することができる。
【００６９】
銀トナー画像ＳＴは、重ねトナー画像が形成された領域の面積階調率に応じて、トナー付着量を変化させて形成される。具体的には、図９に示すように、重ねトナー画像（Ｍ（Ｃ、Ｙ））が形成された領域の面積階調率が低い領域ほど、トナー付着量を減少させる。
これにより、記録媒体の透けを抑制しながら銀トナー画像ＳＴのトナー付着量を減少させて白色トナー画像ＷＴのくすみを抑制することができる。
【００７０】
白色トナー画像ＷＴ及び銀トナー画像ＳＴは、図１０に示すように、重ねトナー画像（ＹＭＣＫ）が形成された領域と他の画像が形成された領域のトナー層厚さが一定になるように、白色トナー（Ｗ）及び銀トナー（Ｓ）のトナー付着量を変更して形成される。
これにより、記録媒体の透けを抑制しながら白色トナー画像ＷＴ及び銀トナー画像ＳＴのトナー付着量を減少させることができる。
【００７１】
本実施形態に係る記録媒体は、白色トナー画像ＷＴ、銀トナー画像ＳＴのいずれかが先に定着されるように画像形成されてもよい。これにより、銀トナー画像ＳＴと白色トナー画像ＷＴを同時に定着した場合に、銀トナー（Ｓ）と白色トナー（Ｗ）が混じり合って、白色トナー画像ＷＴの光輝性が低下するくすみを抑制することができる。
【００７２】
有色紙ＣＰ上に画像形成する場合、まず銀トナー画像ＳＴが二次転写された有色紙ＣＰが用紙搬送装置１６ａを経由して定着装置１７に搬送され、定着装置１７で定着される。次に、銀トナー画像ＳＴが定着された有色紙ＣＰは、用紙搬送装置１６ｃにより表裏が反転され、再び二次転写部ＴＲへ送り込まれる（図１参照）。
そして、重ねトナー画像（ＹＭＣＫ）及び白色トナー画像ＷＴが銀トナー画像ＳＴが定着された有色紙ＣＰ上に一括転写される。これにより、銀トナー（Ｓ）と白色トナー（Ｗ）が定着される際に混じり合うことなく、白色トナー画像ＷＴのくすみを抑制することができる。
【００７３】
透明ラベルＣＳ上に画像形成する場合、まず白色トナー画像ＷＴ及び重ねトナー画像（ＹＭＣＫ）が二次転写された透明ラベルＣＳが用紙搬送装置１６ａを経由して定着装置１７に搬送され、定着装置１７で定着される。次に、白色トナー画像ＷＴ及び重ねトナー画像（ＹＭＣＫ）が定着された透明ラベルＣＳは、用紙搬送装置１６ｃにより表裏が反転され、再び二次転写部ＴＲへ送り込まれる（図１参照）。
そして、白色トナー画像ＷＴ及び重ねトナー画像（ＹＭＣＫ）が定着された透明ラベルＣＳ上に銀トナー画像ＳＴが追い刷り印刷される。これにより、銀トナー（Ｓ）と白色トナー（Ｗ）が定着される際に混じり合うことなく、白色トナー画像ＷＴのくすみを抑制することができる。  
【符号の説明】
【００７４】
１、１Ａ・・・画像形成装置
１０・・・画像形成部
１１・・・システム制御装置
１２・・・露光装置
１３・・・感光体ユニット
１４・・・現像装置
１５・・・転写装置
１７・・・定着装置
２０・・・用紙送り装置
３０・・・排紙部
４０・・・操作表示部
５０・・・画像処理部
Ｐ・・・記録媒体本体
ＣＰ・・・有色紙
ＣＳ・・・透明ラベル
ＷＴ・・・白色トナー画像
ＳＴ・・・銀トナー画像
ＹＭＣＫ・・・重ねトナー画像
【図１】
2019040108.tif 000003
【図２】
2019040108.tif 000004
【図３】
2019040108.tif 000005
【図４】
2019040108.tif 000006
【図５】
2019040108.tif 000007
【図６】
2019040108.tif 000008
【図７】
2019040108.tif 000009
【図８】
2019040108.tif 000010
【図９】
2019040108.tif 000011
【図１０】
2019040108.tif 000012
【図１１】
2019040108.tif 000013